(57)【要約】【課題】コンテナ同士を積み重ねた状態であっても、側壁同士の連結を解除するように操作できる連結部材を提供する。【解決手段】連結部材は、長側壁の上縁角部に取り付けられる第１部材２０と、短側壁の上縁角部に取り付けられる第２部材３０とを備えている。第１部材２０は、長側壁に固定される第１本体部２１と、第１本体部２１から第２部材３０側に突出する連結凸部２４とを備えている。第２部材３０は、短側壁に固定される第２本体部３１と、連結凸部２４が挿入される連結凹部３３と、連結凹部３３の内部に設けられ、連結凹部３３からの連結凸部２４の脱離を規制するロック位置と、連結凹部３３からの連結凸部２４の脱離を許容するアンロック位置との間で移動可能なロック部３４と、第２部材３０の外側の側面に設けられ、ロック部３４の位置を変更するための操作部３５とを備えている。【選択図】図７
0003216416.tif 000002
【実用新案登録請求の範囲】
【請求項１】
板材を有底四角箱状に組み立ててなる箱本体を備えるコンテナに適用され、前記箱本体の上側コーナー部分に取り付けられて、隣接する側壁同士を連結する連結部材であって、
隣接する前記側壁のうちの一方の側壁の上縁角部に取り付けられる第１部材と、同他方の側壁の上縁角部に取り付けられる第２部材とを備え、
前記第１部材は、
前記側壁に固定される第１本体部と、
前記第１本体部から前記第２部材側に突出する連結凸部とを備え、
前記第２部材は、
前記側壁に固定される第２本体部と、
前記連結凸部が挿入される連結凹部と、
前記連結凹部の内部に設けられ、前記連結凹部からの前記連結凸部の脱離を規制するロック位置と前記連結凹部からの前記連結凸部の脱離を許容するアンロック位置との間で移動可能なロック部と、
前記第２部材の外側の側面に設けられ、前記ロック部の位置を変更するための操作部とを備えることを特徴とする連結部材。
【請求項２】
前記連結凸部は、上下方向に延びる柱状部を備え、
前記ロック部は、上下方向に延びる軸線回りに回動することにより前記ロック位置と前記アンロック位置との間を移動することを特徴とする請求項１に記載の連結部材。
【請求項３】
前記操作部は、当該連結部材におけるコーナー部分を構成する部位に設けられ、前記第１部材が取り付けられる前記側壁に沿った面側から前記第２部材が取り付けられる前記側壁に沿った面側に回動させることにより、前記ロック部の位置を、前記ロック位置から前記アンロック位置、又は前記アンロック位置から前記ロック位置に変更することを特徴とする請求項２に記載の連結部材。
【請求項４】
板材を有底四角箱状に組み立ててなる箱本体と、前記箱本体の上側コーナー部分に取り付けられて、隣接する側壁同士を連結する連結部材とを備えるコンテナであって、
前記連結部材は、請求項１〜３のいずれか一項に記載の連結部材であることを特徴とするコンテナ。
【考案の詳細な説明】
【技術分野】
【０００１】
本考案は、板材を有底四角箱状に組み立ててなる箱本体を備えるコンテナに適用される連結部材、及びその連結部材を備えるコンテナに関する。
【背景技術】
【０００２】
近年、物品の運搬等に使用されるコンテナとして、プラスチック段ボール等の合成樹脂製の中空板材から構成されたコンテナが利用されている。例えば、特許文献１のコンテナは、十字形に切り出されたプラスチック段ボールを、上部に開口を有する有底箱状に折り曲げて箱本体を形成するとともに、その箱本体の上側コーナー部分に連結部材を取り付けることによって形成されている。
【０００３】
上記連結部材は、隣接する側壁の一方に取り付けられる第１部材と、同他方に取り付けられる第２部材とから構成される。第１部材は、第２部材に向けて突出した係合用の凸部を備えている。第２部材は、第１部材の凸部が挿入される凹部と、上下方向にスライドすることにより、凹部に挿入された凸部に係合する係合部とを備えている。上記連結部材は、係合部材を第２部材の上部に引き上げて、凹部に挿入された凸部と係合部材との係合を解除することにより、第１部材と第２部材とが分離可能な状態になる。
【０００４】
したがって、箱本体の各上側コーナー部分に取り付けられた上記連結部材を、第１部材の凸部と第２部材の係合部とが係合した状態にすると、側壁同士が連結されて、コンテナは有底箱状に固定される。また、上記連結部材を、第１部材の凸部と第２部材の係合部との係合を解除した状態にすると、側壁同士の連結が解除されて、コンテナを展開状態にすることができる。
【先行技術文献】
【特許文献】
【０００５】
【特許文献１】特開２０１１−１１７９４号公報
【考案の概要】
【考案が解決しようとする課題】
【０００６】
特許文献１のコンテナは、コンテナ同士を積み重ねた状態であると、上段のコンテナが障害物となって、下段のコンテナの連結部材の係合部を第２部材の上部に引き上げることができなくなる。そのため、コンテナ同士を積み重ねた状態において、下段のコンテナに物の出し入れをしたい場合等に、連結部材を操作して一つの側壁を展開状態にする方法を採用することができない。
【０００７】
本考案は、こうした従来の実情に鑑みてなされたものであり、その目的は、コンテナ同士を積み重ねた状態であっても、側壁同士の連結を解除するように操作できる連結部材を提供することにある。
【課題を解決するための手段】
【０００８】
上記の目的を達成するための連結部材は、板材を有底四角箱状に組み立ててなる箱本体を備えるコンテナに適用され、前記箱本体の上側コーナー部分に取り付けられて、隣接する側壁同士を連結する連結部材であって、隣接する前記側壁のうちの一方の側壁の上縁角部に取り付けられる第１部材と、同他方の側壁の上縁角部に取り付けられる第２部材とを備え、前記第１部材は、前記側壁に固定される第１本体部と、前記第１本体部から前記第２部材側に突出する連結凸部とを備え、前記第２部材は、前記側壁に固定される第２本体部と、前記連結凸部が挿入される連結凹部と、前記連結凹部の内部に設けられ、前記連結凹部からの前記連結凸部の脱離を規制するロック位置と前記連結凹部からの前記連結凸部の脱離を許容するアンロック位置との間で移動可能なロック部と、前記第２部材の外側の側面に設けられ、前記ロック部の位置を変更するための操作部とを備える。
【０００９】
上記構成によれば、連結凹部の内部において、ロック部がロック位置とアンロック位置との間で移動可能であるため、連結部材により側壁同士が連結されたコンテナ同士を積み重ねた状態であっても、下段のコンテナの連結部材のロック部の移動に上段のコンテナが干渉しない。また、ロック部の位置を変更する操作部が第２部材の外側の側面に設けられているため、コンテナ同士を積み重ねた状態であっても、側壁の外面側から操作部を操作できる。したがって、コンテナ同士を積み重ねた状態であっても、連結部材を、ロック状態（ロック部がロック位置にある状態）からアンロック状態（ロック部がロック位置にある状態）に操作して側壁同士の連結を解除できる。
【００１０】
上記連結部材において、前記連結凸部は、上下方向に延びる柱状部を備え、前記ロック部は、上下方向に延びる軸線回りに回動することにより前記ロック位置と前記アンロック位置との間を移動することができる。
【００１１】
上記構成によれば、連結凹部の内部において、ロック位置とアンロック位置との間でロック部を移動可能とする構成を簡易な構成で実現することができる。
上記連結部材において、前記操作部は、当該連結部材におけるコーナー部分を構成する部位に設けられ、前記第１部材が取り付けられる前記側壁に沿った面側から前記第２部材が取り付けられる前記側壁に沿った面側に回動させることにより、前記ロック部の位置を、前記ロック位置から前記アンロック位置、又は前記アンロック位置から前記ロック位置に変更することができる。
【００１２】
上記構成によれば、ロック部の位置を切り替える際の操作性が向上する。
上記の目的を達成するためのコンテナは、板材を有底四角箱状に組み立ててなる箱本体と、前記箱本体の上側コーナー部分に取り付けられて、隣接する側壁同士を連結する上記連結部材とを備える。
【００１３】
上記構成によれば、コンテナ同士を積み重ねた状態であっても、連結部材を、ロック状態（ロック部がロック位置にある状態）からアンロック状態（ロック部がロック位置にある状態）に操作して側壁同士の連結を解除できる。
【考案の効果】
【００１４】
本考案によれば、コンテナ同士を積み重ねた状態であっても、側壁同士の連結を解除するように連結部材を操作できる。
【図面の簡単な説明】
【００１５】
【図１】コンテナの斜視図。
【図２】連結部材の斜視図。
【図３】連結部材の斜視図。
【図４】第１部材の斜視図。
【図５】第２部材の斜視図。
【図６】図２の６−６線断面図（ロック状態にある連結部材の断面図）。
【図７】図６の７−７線断面図（ロック状態にある連結部材の断面図）。
【図８】ロック部及び操作部の斜視図。
【図９】アンロック状態にある連結部材の断面図。
【図１０】コンテナ同士を積み重ねた状態の説明図。
【考案を実施するための形態】
【００１６】
以下、本考案の連結部材を備えるコンテナを図面に基づいて説明する。
図１に示すように、コンテナ１０は、上方に開口する有底箱状の箱本体１１を備えている。箱本体１１は、合成樹脂製の板材を四角箱状に折り曲げることにより形成される部材であり、長方形状の底壁１２と、底壁１２の長側縁に沿って立設された対向する一対の長側壁１３と、底壁１２の短側縁に沿って立設された対向する一対の短側壁１４とを備えている。
【００１７】
具体的には、底壁１２となる部分の各側縁に対して長側壁１３及び短側壁１４となる部分がそれぞれ接続された略十字形状の板材を箱状に折り曲げることによって形成されている。また、上記板材における短側壁１４となる部分の両側部には、長側壁１３となる部分の内側に重ねられる重ね代１４ａが設けられており、この重ね代１４ａが重なることによって長側壁１３の両側部は二枚重ねの構造とされている。なお、箱本体１１を構成する合成樹脂製の板材としては、例えば、一対の表面層の間にクランク状やコーン状等の凹凸を有する中間層を積層してなるプラスチック段ボールや発泡シート等の中空板材を用いることができる。
【００１８】
図１に示すように、コンテナ１０は、箱本体１１の上縁における長側壁１３及び短側壁１４の中央部分に取り付けられるフレーム部材１５と、箱本体１１の上側コーナー部分に取り付けられて、隣接する長側壁１３及び短側壁１４を連結するＬ字状の連結部材１６とを備えている。
【００１９】
フレーム部材１５は、下側に開口する断面Ｕ字状をなす角柱状の部材であり、その下面側全体に溝が形成されている。そして、その溝内に長側壁１３又は短側壁１４の上縁を挿入した状態として、例えば、ビスや接着剤等の所定の固定手段を用いて長側壁１３又は短側壁１４に固定することにより、フレーム部材１５は、箱本体１１の上縁に取り付けられる。
【００２０】
図１〜３に示すように、連結部材１６は、長側壁１３の上縁角部に取り付けられる第１部材２０と、短側壁１４の上縁角部に取り付けられる第２部材３０とを備え、第１部材２０及び第２部材３０が互いに連結されてＬ字状をなしている。
【００２１】
図３及び図４に示すように、第１部材２０は、長側壁１３の上縁角部に固定される角柱状の第１本体部２１を備えている。第１本体部２１の下面には、箱本体１１の長側壁１３の上縁角部が挿入される第１挿入溝２１ａが設けられている。第１本体部２１の第１挿入溝２１ａ内に長側壁１３の上縁角部を挿入した状態として、例えば、ビスや接着剤等の所定の固定手段を用いて、第１本体部２１と長側壁１３とを固定することにより、第１部材２０は、長側壁１３に取り付けられる。
【００２２】
なお、本実施形態においては、長側壁１３にフレーム部材１５を取り付ける前に、第１部材２０の第１挿入溝２１ａ内に長側壁１３の上縁角部を挿入して、ビス等の固定手段により長側壁１３に第１部材２０を固定している。その後、第１部材２０の一部にフレーム部材１５の両側部を覆い被せるようにして、フレーム部材１５の溝内に長側壁１３の上縁及び第１部材２０の一部を挿入し、第１部材２０とフレーム部材１５との嵌め合わせにより、長側壁１３にフレーム部材１５を固定している。
【００２３】
第１本体部２１の上面側の外縁部には、コンテナ１０同士を積み重ねた際に、上下のコンテナ１０の位置ずれを規制するための規制リブ２２が上方に突出して設けられている。
図４に示すように、第１本体部２１は、第２部材３０に対向する端面２３（短側壁１４側を向く端面）を備え、この端面２３には、第２部材３０側（短側壁１４側）に突出する連結凸部２４が設けられている。連結凸部２４は、端面２３から離間した位置において上下方向に延びる円柱状の柱状部２４ａと、柱状部２４ａの上端部及び下端部と端面２３とをそれぞれ接続する支持部２４ｂとを備え、全体としてＵ字状に形成されている。
【００２４】
図５に示すように、第２部材３０は、短側壁１４の上縁角部に固定される角柱状の第２本体部３１を備えている。第２本体部３１の下面には、箱本体１１の短側壁１４の上縁角部が挿入される第２挿入溝３１ａが設けられている。第２本体部３１の第２挿入溝３１ａ内に短側壁１４の上縁角部を挿入した状態として、例えば、ビスや接着剤等の所定の固定手段を用いて、第２本体部３１と短側壁１４とを固定することにより、第２部材３０は、短側壁１４に取り付けられる。
【００２５】
なお、本実施形態においては、短側壁１４にフレーム部材１５を取り付ける前に、第２部材３０の第２挿入溝３１ａ内に短側壁１４の上縁角部を挿入して、ビス等の固定手段により短側壁１４に第２部材３０を固定している。その後、第２部材３０の一部にフレーム部材１５の両側部を覆い被せるようにして、フレーム部材１５の溝内に短側壁１４の上縁及び第２部材３０の一部を挿入し、第２部材３０とフレーム部材１５との嵌め合わせにより、短側壁１４にフレーム部材１５を固定している。
【００２６】
第２本体部３１の上面側の外縁部には、コンテナ１０同士を積み重ねた際に、上下のコンテナ１０の位置ずれを規制するための規制リブ３２が上方に突出して設けられている。
図２及び図５に示すように、第２本体部３１は、連結部材１６のコーナー部分を構成する部位であって、第１部材２０の端面２３に対向するコーナー部３１ｂを備えている。コーナー部３１ｂには、第１部材２０の端面２３に対向する面に開口して、第１部材２０の連結凸部２４が挿入される連結凹部３３が設けられている。
【００２７】
図６及び図７に示すように、連結凹部３３の内部には、円筒状の部材からなるロック部３４が回転自在に収容されている。図８に示すように、ロック部３４は、上下方向に延びるとともに断面円弧状をなす半円筒状の胴部３４ａを備えている。胴部３４ａの上下方向の中央部には、胴部３４ａの周長を部分的に延長された爪部３４ｂが設けられている。また、ロック部３４は、胴部３４ａの上端に接続される円板状の端壁３４ｃを備えている。端壁３４ｃの上面中央部には、円筒状の軸部３４ｄが設けられている。
【００２８】
図６に示すように、連結凹部３３には、連結凹部３３の上壁から下方に突出する円柱状の凹部側軸部３３ａが設けられている。ロック部３４は、軸部３４ｄが凹部側軸部３３ａに接続されることにより、連結凹部３３の内部において、上下方向の軸線回りに回転自在に軸支されている。そして、ロック部３４は、連結凹部３３に挿入された連結凸部２４の脱離（抜け出し）を規制するロック位置と、連結凹部３３に挿入された連結凸部２４の脱離を許容するアンロック位置との間で回転可能である。
【００２９】
図６及び図７に示すように、上記ロック位置は、第１部材２０の端面２３と連結凸部２４の柱状部２４ａとの間にロック部３４の爪部３４ｂが差し込まれている位置である。ロック部３４がロック位置にある場合、連結凸部２４の柱状部２４ａに爪部３４ｂが当接することにより、連結凹部３３からの連結凸部２４の脱離が規制される。これにより、第１部材２０と第２部材３０とが一体に連結された状態になる。
【００３０】
図９に示すように、上記アンロック位置は、ロック位置から約９０度、ロック部３４を回転させて、第１部材２０の端面２３と連結凸部２４の柱状部２４ａとの間からロック部３４の爪部３４ｂを退避させた位置である。ロック部３４がアンロック位置にある場合、連結凸部２４の柱状部２４ａに爪部３４ｂが干渉することなく、連結凹部３３からの連結凸部２４の脱離が許容される。これにより、第１部材２０と第２部材３０とが分離可能な状態になる。
【００３１】
また、図２，６，７に示すように、連結凹部３３は、コーナー部３１ｂの外側の側面にロック部３４の一部を露出させる操作孔３３ｂを備えている。操作孔３３ｂは、長側壁１３に沿った面側から短側壁１４に沿った面側に跨って約９０度の範囲で開口するように形成されている。
【００３２】
コーナー部３１ｂの外側の側面には、連結凹部３３に収容されたロック部３４に操作孔３３ｂを通じて接続されて、コーナー部３１ｂの外側の側面側からロック部３４を操作する操作部３５が設けられている。操作部３５は、ロック部３４がアンロック位置にあるとき、長側壁１３に沿った面側に位置している。そして、操作孔３３ｂに沿って操作部３５を、長側壁１３に沿った面側から短側壁１４に沿った面側に回動させると、ロック部３４の位置がロック位置からアンロック位置に変更される。
【００３３】
連結部材１６を備えるコンテナ１０は、各連結部材１６の操作部３５を操作して、ロック部３４の位置をロック位置からアンロック位置に変更することにより、第１部材２０と第２部材３０とが分離可能な状態となり、長側壁１３と短側壁１４との連結が解除される。したがって、保管時や回収時等のコンテナ１０を使用しない場合には、連結部材１６を操作して、長側壁１３と短側壁１４との連結を解除することにより、箱本体１１を展開させた平板状の状態にすることができる。
【００３４】
次に、本実施形態の作用及び効果について説明する。
（１）連結部材１６は、長側壁１３の上縁角部に取り付けられる第１部材２０と、短側壁１４の上縁角部に取り付けられる第２部材３０とを備えている。第１部材２０は、長側壁１３に固定される第１本体部２１と、第１本体部２１から第２部材３０側に突出する連結凸部２４とを備えている。第２部材３０は、短側壁１４に固定される第２本体部３１と、連結凸部２４が挿入される連結凹部３３と、連結凹部３３の内部に設けられ、連結凹部３３からの連結凸部２４の脱離を規制するロック位置と、連結凹部３３からの連結凸部２４の脱離を許容するアンロック位置との間で移動可能なロック部３４と、第２部材３０の外側の側面に設けられ、ロック部３４の位置を変更するための操作部３５とを備えている。
【００３５】
上記構成によれば、連結凹部３３の内部において、ロック部３４がロック位置とアンロック位置との間で移動可能であるため、連結部材１６により側壁同士が連結されたコンテナ１０同士を積み重ねた状態であっても、下段のコンテナ１０の連結部材１６のロック部３４の移動に上段のコンテナ１０が干渉しない。また、ロック部３４の位置を変更する操作部３５が第２部材３０の外側の側面に設けられているため、コンテナ１０同士を積み重ねた状態であっても、側壁の外面側から操作部３５を操作できる。
【００３６】
したがって、コンテナ１０同士を積み重ねた状態であっても、連結部材１６を、ロック状態（ロック部３４がロック位置にある状態）からアンロック状態（ロック部３４がロック位置にある状態）に操作して側壁同士の連結を解除できる。これにより、図１０に示すように、コンテナ１０同士を積み重ねた状態において、下段のコンテナ１０に物の出し入れをしたい場合等に、連結部材１６を操作して下段のコンテナ１０の一つの短側壁１４を展開状態にすることができる。
【００３７】
（２）連結凸部２４は、上下方向に延びる柱状部２４ａを備え、ロック部３４は、上下方向に延びる軸線回りに回動することによりロック位置とアンロック位置との間を移動する。
【００３８】
上記構成によれば、連結凹部３３の内部において、ロック位置とアンロック位置との間でロック部３４を移動可能とする構成を簡易な構成で実現することができる。
（３）操作部３５は、連結部材１６のコーナー部分を構成する部位（第２部材３０のコーナー部３１ｂ）に設けられ、長側壁１３に沿った面側から短側壁１４に沿った面側に回動させることにより、ロック部３４の位置をロック位置からアンロック位置に変更する。
【００３９】
上記構成によれば、ロック部３４の位置を切り替える際の操作性が向上する。
（４）コンテナ１０は、板材を有底四角箱状に組み立ててなる箱本体１１と、箱本体１１の側壁同士の上側コーナー部分に取り付けられて、隣接する側壁同士を連結する連結部材１６とを備えている。
【００４０】
上記構成によれば、コンテナ１０同士を積み重ねた状態であっても、連結部材１６を、ロック状態からアンロック状態に操作して側壁同士の連結を解除できる。
なお、上記実施形態は、以下のように変更して実施することができる。上記実施形態及び以下の変更例は、技術的に矛盾しない範囲で互いに組み合わせて実施することができる。
【００４１】
・操作部３５の移動範囲や移動方向を変更してもよい。例えば、第２部材３０における短側壁１４に沿った外側の側面に操作部３５を設け、この操作部３５を、短側壁１４の外側から操作可能な範囲内（短側壁１４に沿った外側の側面の範囲内）でのみ移動する構成としてもよい。この場合には、コンテナ１０の長側壁１３側に近接して別のコンテナ１０等が位置していても、短側壁１４側から操作部３５を操作できる。また、短側壁１４に沿った面側から長側壁１３に沿った面側に回動させることにより、ロック部３４の位置をロック位置からアンロック位置に変更する操作部３５であってもよい。
【００４２】
・ロック部３４と操作部３５との間にカム機構を設ける等して、ロック部３４の動く方向と、操作部３５とが一致しない構成としてもよい。例えば、水平方向や上下方向に直線的にスライド移動する操作部３５を操作することによって、ロック位置とアンロック位置との間でロック部３４を回転させる構成としてもよい。
【００４３】
・連結凸部２４及びロック部３４の構成は、上記実施形態の構成に限定されるものではなく、連結凹部３３の内部において、ロック位置とアンロック位置との間でロック部３４が移動できる構成であればよい。例えば、水平方向に延びる柱状部２４ａを備える連結凸部２４とするとともに、水平方向に延びる軸線回りに回動することによりロック位置とアンロック位置との間を移動するロック部３４としてもよい。また、回転移動以外の移動（例えば、直線的なスライド移動）によって、ロック位置とアンロック位置との間を移動するロック部３４としてもよい。
【００４４】
・連結部材１６の第１部材２０を短側壁１４に取り付けるとともに、第２部材３０を長側壁１３に取り付けた構成としてもよい。
・ロック部３４又は操作部３５に対して、ロック部３４がロック位置又はアンロック位置にあることを示す指示部を設けてもよい。例えば、ロック部３４又は操作部３５の一部に、他の部位とは異なる色に着色した指示部を設け、ロック部３４がロック位置又はアンロック位置にあるときに限り、操作孔３３ｂから指示部が視認可能になることにより、ロック部３４の位置を把握できる構成としてもよい。
【００４５】
・ロック部３４及び操作部３５を一体化して、ロック部３４の一部に操作部３５として機能する部分を設けてもよい。
・箱本体１１は、隣り合う側壁の組み合わせの少なくとも一つが直接、接続されてなく、側壁同士を連結する連結部材１６を必要とする構成であればよく、その具体的構成は特に限定されるものではない。例えば、底壁１２、長側壁１３、及び短側壁１４の形状にそれぞれ別々に切り出した５枚の板材を組み合わせて有底四角箱状とした箱本体１１であってもよい。
【００４６】
・上記実施形態では、箱本体１１の短側壁１４に重ね代１４ａを設けていたが、長側壁１３に重ね代１４ａを設けてもよい。また、上記実施形態では、連結部材１６の第２部材３０が固定される側壁に重ね代１４ａを設けていたが、連結部材１６の第１部材２０が固定される側壁に重ね代１４ａを設けてもよい。
【符号の説明】
【００４７】
１０…コンテナ、１１…箱本体、１３…長側壁、１４…短側壁、１６…連結部材、２０…第１部材、２１…第１本体部、２４…連結凸部、２４ａ…柱状部、３０…第２部材、３１…第２本体部、３３…連結凹部、３４…ロック部、３５…操作部。
【図１】
0003216416.tif 000003
【図２】
0003216416.tif 000004
【図３】
0003216416.tif 000005
【図４】
0003216416.tif 000006
【図５】
0003216416.tif 000007
【図６】
0003216416.tif 000008
【図７】
0003216416.tif 000009
【図８】
0003216416.tif 000010
【図９】
0003216416.tif 000011
【図１０】
0003216416.tif 000012